(57)【要約】【課題】ウォーキング等の歩行や体操などの運動時に、左右の手に１つずつ把持する健康器具に関して、使用者の手掌サイズに収まり、かつ手掌からの落下を防止できるとともに低コストに製作可能な携帯用健康器具を提供する。【解決手段】適度な硬度を有する弾性材料により中空に成形され、中央を貫通する貫通孔１１ａ，１１ｂが形成された球体１と、前記貫通孔１１ａ，１１ｂに挿通され無端状に形成されている紐体２と、前記紐体２に設けられ前記紐体２と前記球体１の隙間４を調節する規制部材３から構成した。【選択図】  図２
0003221155.tif 000002
【実用新案登録請求の範囲】
【請求項１】
弾性材料により中空に成形され、中央を貫通する貫通孔が形成された球体と、前記貫通孔に挿通され無端状に形成されている紐体と、前記紐体に設けられ前記紐体と前記球体の隙間を調節する規制部材から構成されていることを特徴とする携帯用健康器具。
【請求項２】
前記紐体が、その両端を筒体に挿入し固着されて無端状に形成されるとともに、前記筒体が前記球体の内部に収められていることを特徴とする請求項１記載の携帯用健康器具。
【請求項３】
前記紐体が、その両端を余らせた位置で縫着されて無端状に形成されていることを特徴とする請求項１記載の携帯用健康器具。
【考案の詳細な説明】
【技術分野】
【０００１】
本考案は、ウォーキング等の歩行や体操などの運動時に、左右の手に１つずつ把持する器具であって、運動時の腕振り動作によって生じる遠心力を増加させて筋肉への軽負荷を加える携帯用健康器具に関するものである。
【背景技術】
【０００２】
近年、健康に対する関心が高まり、手軽で身近な運動としてウォーキング等の歩行や体操を生活に取り入れる人が増加している。とくにウォーキングを行う人の中には、ウォーキング時にダンベルを把持してその重量により振り子作用を増加させてカロリー消費量の増加を図ろうとする人もいる。この種の健康器具を把持した状態で腕を前後に振った場合、健康器具の慣性により腕が大きく振れるため、健康器具を持たない場合に比べて運動量が増加することが確認されている。
【０００３】
このように、ウォーキング時に携帯する健康器具として、例えば特許文献１や特許文献２に示すように、把持してウォーキングすることにより歩行姿勢の矯正を目的とするものや、例えば特許文献３に示すように、把持した際に手の平のつぼを刺激して新陳代謝を高めることを目的とした健康器具が開示されている。
【先行技術文献】
【特許文献】
【０００４】
【特許文献１】特開２０１６−１４７００５号公報
【特許文献２】特許第６１００６６７号公報
【特許文献３】特開２００５−２３０２４４号公報
【考案の概要】
【考案が解決しようとする課題】
【０００５】
しかしながら、これらの文献で開示されている健康器具は、腕筋肉の疲労により握力が低下した場合は、手から落下する懼れがあった。また、特許文献１や特許文献２で開示されている健康器具は、握り部にアーム部を介して重量部が設けられており、構造上器具そのものが長く、使用時に周囲に衝突するという問題があった。
【０００６】
本考案は、上記の問題点に鑑みなされたもので、使用者の手掌サイズに収まり、かつ手掌からの落下を防止できるとともに低コストに製作可能な携帯用健康器具を提供することを目的とする。
【課題を解決するための手段】
【０００７】
このため本考案の携帯用健康器具は、弾性材料により中空に成形され、中央を貫通する貫通孔が形成された球体と、前記貫通孔に挿通され無端状に形成されている紐体と、前記紐体に設けられ前記紐体と前記球体の隙間を調節する規制部材から構成されていることを第一の特徴とする。
【０００８】
また、前記紐体が、その両端を筒体に挿入し固着されて無端状に形成されるとともに、前記筒体が前記球体の内部に収められていることを第二の特徴とし、前記紐体が、その両端を余らせた位置で縫着されて無端状に形成されていることを第三の特徴とする。
【考案の効果】
【０００９】
本考案の携帯用健康器具は、以下の優れた効果を有する。
（１）本願請求項１に係る携帯用健康器具を把持してウォーキングや体操などの運等を行うことで、腕振り時の遠心力が増加し、腕をより大きく振ることができる。よって、カロリー消費量を増加させることができる。また、球体と紐体の隙間に手指を通し、規制部材で適度な隙間に調整できるため、手掌にしっかりと保持することができ、器具の落下を防止できる。
（２）本願請求項２又は請求項３に係る携帯用健康器具は、球体と紐体が互いにスライドすることなく固定されるため、手掌によりしっかりと保持することができる。
【図面の簡単な説明】
【００１０】
【図１】本考案に係る携帯用健康器具の実施例１を示す斜視図である。
【図２】図１の携帯用健康器具を示す縦断面図である。
【図３】本考案に係る携帯用健康器具の実施例２を示す斜視図である。
【考案を実施するための形態】
【００１１】
本考案に係る携帯用健康器具の実施例１は、図１及び図２に示すように、適度の硬度を有する弾性材料により中空に成形された中空状の球体１と、球体１を貫通するように設けられた無端状の紐体２と、この紐体２に設けられた規制部材３から構成されている。規制部材３は、隙間４に使用者の手指を通して球体１を把持する際に紐体２と球体１の隙間４を調整するものである。
【００１２】
球体１は、図１及び図２に示すように、中空状の球であり、使用者の手中に収まる程度の大きさである。落下を防ぐことができるよう、球体の外面に滑り止め加工が施され、かつ適度の硬度を有する弾性材料から構成されている。このような球体として、例えば市販されている野球の軟式球が好ましいが、これに限定されるものではない。この球体１は、球体１の中央を貫通するように貫通孔１１ａ，１１ｂが設けられており、この貫通孔１１ａ，１１ｂに紐体２が挿通している。
【００１３】
紐体２は、図１及び図２に示すように、球体１に対して所定の間隙４を有する程度に無端状に形成されている。間隙４は、球体１を使用者が握った際に、手甲が通る程度とされている。紐体２は、伸縮性を有する素材で形成されていると、使用者の手のサイズを問わずに間隙４が拡張するため、このような素材を用いることが好ましい。
【００１４】
紐体２を無端状とするには、まず、線状態の紐体２の一端２ａを貫通孔１１ａ，１１ｂへ挿通させたのち、球体１の外部で円筒体２１の一端側へ挿通する。そして紐体２の他端２ｂを円筒体２１の他端側から挿通し、紐体２の一端２ａ、他端２ｂ、及び円筒体２１をステープラー針２２により綴じて結合して無端状に形成する。この状態で結合した箇所となる円筒体２１を貫通孔１１ａ又は貫通孔１１ｂから球体１の内部へ紐体２ごとスライドさせて侵入させる。円筒体２１は、その径方向に復元性（又は弾力性）を有する素材、例えば市販されているポリプロピレン製のストローのような円筒体で構成されている。また、円筒体２１の径は、貫通孔１１ａ，１１ｂの孔直径より僅かに大径とされている。この構成により、球体１の内部にスライドさせる際には、円筒体２１をその径を縮径させて貫通孔１１ａ，１１ｂを挿通させることが可能となり、球体１の内部に完全に侵入したあとは、円筒体２１の径が復元して貫通孔１１ａ，１１ｂの孔直径より大径となり、球体１の外部へ接合部が排出されることを防ぐことが可能となる。したがって、円筒体２１の筒長さが、球体１の内径に近似するほど、球体１と紐体２がスライドすることを防ぎ、手掌にしっかりと保持することができる。
【００１５】
紐体２には、図１及び図２に示すように、規制部材３が設けられている。規制部材３は、紐体２に対して移動可能に構成され、紐体２に固定される位置を任意に調整可能に構成されている。規制部材３は、例えば紐体２を挿入可能な孔が設けられた基体及び可動体を有し、基体及び可動体の孔部がずれる方向に可動体を付勢するスプリングを有する、所謂ケーブルストッパーである。これにより規制部材３は、間隙４を絞ることが可能となり、間隙４を通る手甲に球体１を固定することができる。
【００１６】
本考案に係る携帯用健康器具の実施例２は、実施例１とは紐体２の結合手法が異なる。図３に示すように、紐体２の一端２ａと他端２ｂが互いに余る位置で縫製糸２３により縫着されている。そのため、貫通孔１１ａに対しては他端２ｂが、貫通孔１１ｂに対しては一端２ａが、互いにストッパーとなり、球体１に対して紐体２がスライドすることを防ぐことができる。
【００１７】
以上の構成により、本考案に係る携帯用健康器具は、球体と紐体の隙間に手指を通して規制部材で適度な締付けに調整できるため、手掌にしっかりと器具を保持することができ、器具の落下を防止できる。そのため、ウォーキングや体操など種々の運動に利用することができる。また、市販されている素材を用いることで、容易に製作が可能である。紐体２を球体１の外面に接着材料により固定した場合は、本考案と同様の形態を得ることができるものの、紐体２と球体１の接合強度が接着材料の強度に依存するため、接着材料の経年劣化により接合強度が分離し易いという不具合が生じる。また、球体１の外面に接着材料があらわれるため、意匠性が低下する。したがって、球体１と紐体２が分離不可能となるばかりでなく、意匠性を向上させる点から、本考案に示すように機械的に接合強度を高める構造とすることが好ましい。
【００１８】
尚、本考案の実施例１では、円筒体２１にストローを用いているが、貫通孔１１ａ，１１ｂから球体１の内部へ挿入したのち、素材の復元性により貫通孔１１ａ，１１ｂから球体１の外部へ排出されない筒体であれば良く、形状も円筒形状のほか、多角形の各柱状でも良く、これに限定されるものではない。また、ステープラー針２２で綴じた箇所は、図２において１カ所のみとしているが、例えば複数箇所を綴じるほか、一端２ａと他端２ｂ同士を綴じても良く、円筒体２１から一端２ａ又は他端２ｂが離脱しないよう綴じられていれば良い。
【符号の説明】
【００１９】
１          球体
２          紐体
２ａ        一端（紐体）
２ｂ        他端（紐体）
３          規制部材
４          間隙
１１        貫通孔
２１        円筒体
２２        ステープラー針
２３        縫製糸
【図１】
0003221155.tif 000003
【図２】
0003221155.tif 000004
【図３】
0003221155.tif 000005